(57)【要約】      （修正有）【課題】映像制作者による映像ファイルの管理を容易にすることが可能な映像ファイル管理システム及び映像ファイル管理方法を提供する。【解決手段】映像ファイル管理システム１において、映像ファイルの編集が行われるとき、編集部１７は、編集に関するユーザの操作内容を取得し、情報管理部１３は、編集部１７によって取得された操作内容及び記憶部（情報記憶部１１、映像記憶部１２）に格納されたメタ情報に基づいて、当該映像ファイルと編集内容とを紐付けた関連付けデータを生成し、記憶部に登録する。また、映像ファイルの検索が行われるときに検索結果の一覧から何れかの映像ファイルが選択された場合には、情報管理部１３は、選択された映像ファイルが紐付けられた関連付けデータに基づいて、当該映像ファイルの関連情報を表示させる。【選択図】図２
2018028727.tif 000002
【特許請求の範囲】
【請求項１】
映像ファイル及び当該映像ファイルのメタ情報を格納する記憶部と、
前記記憶部への入出力を管理する情報管理部と、
ユーザによる検索条件の入力に応じて前記記憶部に格納された映像ファイルの検索を前記情報管理部に問い合わせ、検索結果の一覧を表示する検索部と、
ユーザによる操作に基づいて前記映像ファイルを編集する編集部と、
前記編集部によって編集された編集後の前記映像ファイルを前記記憶部に登録する登録部と、
を備え、
前記映像ファイルの編集が行われるとき、
前記編集部は、当該映像ファイルの編集に関するユーザの操作内容を取得し、
前記情報管理部は、前記編集部によって取得された操作内容及び前記記憶部に格納された当該映像ファイルのメタ情報に基づいて、当該映像ファイルと編集内容とを紐付けた関連付けデータを生成し、該生成した関連付けデータを前記記憶部に登録し、
前記登録部は、当該編集が完了した編集後の前記映像ファイルを前記記憶部に登録し、
前記映像ファイルの検索が行われるとき、表示された前記検索結果の一覧から何れかの映像ファイルが選択された場合に、
前記情報管理部は、前記選択された映像ファイルが紐付けられた前記関連付けデータに基づいて、当該映像ファイルの関連情報を表示させる
ことを特徴とする映像ファイル管理システム。
【請求項２】
前記映像ファイルの編集において第１の前記映像ファイルの編集中に第２の前記映像ファイルが参照または再生された場合に、
前記情報管理部は、前記関連付けデータを生成する際に、前記第１の映像ファイルの参照映像ファイルとして前記第２の映像ファイルを紐付け、
前記映像ファイルの検索において前記検索結果の一覧から前記第１の映像ファイルが選択された場合に、
前記情報管理部は、前記第１の映像ファイルの関連情報の１つとして、前記第２の映像ファイルが編集時に参照または再生された映像ファイルである旨を表示させる
ことを特徴とする請求項１に記載の映像ファイル管理システム。
【請求項３】
前記映像ファイルの編集において第１の前記映像ファイルが第３の前記映像ファイルを素材に使用して編集された場合に、
前記情報管理部は、前記関連付けデータを生成する際に、編集後の前記第１の映像ファイルの素材映像ファイルとして前記第３の映像ファイルを紐付け、
前記映像ファイルの検索において前記検索結果の一覧から前記編集後の第１の映像ファイルが選択された場合に、
前記情報管理部は、前記編集後の第１の映像ファイルの関連情報の１つとして、前記第３の映像ファイルが編集時に素材として使用された映像ファイルである旨を表示させる
ことを特徴とする請求項１に記載の映像ファイル管理システム。
【請求項４】
前記映像ファイルの検索において前記検索結果の一覧から前記編集後の第１の映像ファイルが選択された場合に、
前記情報管理部は、前記編集後の第１の映像ファイルの関連情報を表示させる際に、前記編集後の第１の映像ファイルにおいて前記第３の映像ファイルを使用した部分と、前記第３の映像ファイルにおいて前記編集後の第１の映像ファイルに使用された部分とを識別可能に表示させる
ことを特徴とする請求項３に記載の映像ファイル管理システム。
【請求項５】
前記映像ファイルの検索において前記検索結果の一覧から前記編集後の第１の映像ファイルが選択された場合に、
前記情報管理部は、前記編集後の第１の映像ファイルと前記第３の映像ファイルとを並べて再生可能な表示画面を含む態様で、前記編集後の第１の映像ファイルの関連情報を表示させる
ことを特徴とする請求項３に記載の映像ファイル管理システム。
【請求項６】
前記情報管理部は、番組の構成が示された番組情報を外部から取得して前記記憶部に登録する番組情報管理部を有し、
前記検索部は、ユーザによる番組検索の検索条件の入力に応じて、前記記憶部に登録された番組情報の検索を前記情報管理部に問い合わせ、番組検索結果の一覧を表示する番組検索部を有し、
前記映像ファイルの編集によって前記番組情報に基づく番組用映像ファイルが制作されるとき、
前記編集部は、当該番組用映像ファイルの制作に関するユーザの操作内容を取得し、
前記情報管理部は、前記編集部によって取得された操作内容及び前記記憶部に登録された当該番組情報に基づいて、当該番組用映像ファイルに関する関連付けデータを生成し、該生成した関連付けデータを前記記憶部に登録し、
前記登録部は、当該制作された番組用映像ファイルを前記記憶部に登録し、
前記番組検索部による前記番組検索において前記番組検索結果の一覧から何れかの番組が選択された場合に、
前記情報管理部は、前記選択された番組の番組用映像ファイルが紐付けられた前記関連付けデータに基づいて、当該番組の関連情報を表示させる
ことを特徴とする請求項１に記載の映像ファイル管理システム。
【請求項７】
前記番組用映像ファイルを外部の放送用設備に送出する送出部をさらに備え、
前記送出部は、前記登録部によって前記記憶部に登録された前記番組用映像ファイルに対応する番組の送出がユーザの操作によって指示された場合に、当該番組用映像ファイルを送出する
ことを特徴とする請求項６に記載の映像ファイル管理システム。
【請求項８】
映像ファイル及び当該映像ファイルのメタ情報を格納する記憶部と、
前記記憶部への入出力を管理する情報管理部と、
ユーザによる検索条件の入力に応じて前記記憶部に格納された映像ファイルの検索を前記情報管理部に問い合わせ、検索結果の一覧を表示する検索部と、
ユーザによる操作に基づいて前記映像ファイルを編集する編集部と、
前記編集部によって編集された編集後の前記映像ファイルを前記記憶部に登録する登録部と、
を有する映像ファイル管理システムによる映像ファイル管理方法であって、
前記映像ファイルの編集が行われるときに、前記編集部が、当該映像ファイルの編集に関するユーザの操作内容を取得する操作内容取得ステップと、
前記操作内容取得ステップの後に、前記情報管理部が、前記編集部によって取得された操作内容及び前記記憶部に格納された当該映像ファイルのメタ情報に基づいて、当該映像ファイルと編集内容とを紐付けた関連付けデータを生成する関連付けデータ生成ステップと、
前記情報管理部が、前記関連付けデータ生成ステップで生成した関連付けデータを前記記憶部に登録する関連付けデータ登録ステップと、
前記登録部が、当該編集が完了した編集後の前記映像ファイルを前記記憶部に登録する映像ファイル登録ステップと、
を備え、さらに、
前記映像ファイルの検索が行われるとき、表示された前記検索結果の一覧から何れかの映像ファイルが選択された場合に、前記情報管理部が、前記関連付けデータ登録ステップで前記記憶部に登録された前記関連付けデータのうち当該選択された映像ファイルが紐付けられた前記関連付けデータに基づいて、当該映像ファイルの関連情報を表示させる関連情報表示ステップと、
を備えることを特徴とする映像ファイル管理方法。
【請求項９】
前記映像ファイルの編集において第１の前記映像ファイルの編集中に第２の前記映像ファイルが参照または再生された場合に、
前記関連付けデータ生成ステップにおける前記情報管理部は、前記第１の映像ファイルの参照映像ファイルとして前記第２の映像ファイルを紐付けた前記関連付けデータを生成し、
前記映像ファイルの検索において前記検索結果の一覧から前記第１の映像ファイルが選択された場合に、
前記関連情報表示ステップにおける前記情報管理部は、前記第１の映像ファイルの関連情報の１つとして、前記第２の映像ファイルが編集時に参照または再生された映像ファイルである旨を表示させる
ことを特徴とする請求項８に記載の映像ファイル管理方法。
【請求項１０】
前記映像ファイルの編集において第１の前記映像ファイルが第３の前記映像ファイルを素材に使用して編集された場合に、
前記関連付けデータ生成ステップにおける前記情報管理部は、編集後の前記第１の映像ファイルの素材映像ファイルとして前記第３の映像ファイルを紐付けた前記関連付けデータを生成し、
前記映像ファイルの検索において前記検索結果の一覧から前記編集後の第１の映像ファイルが選択された場合に、
前記関連情報表示ステップにおける前記情報管理部は、前記編集後の第１の映像ファイルの関連情報の１つとして、前記第３の映像ファイルが編集時に素材として使用された映像ファイルである旨を表示させる
ことを特徴とする請求項８に記載の映像ファイル管理方法。
【請求項１１】
前記映像ファイルの検索において前記検索結果の一覧から前記編集後の第１の映像ファイルが選択された場合に、
前記関連情報表示ステップにおける前記情報管理部は、前記編集後の第１の映像ファイルの関連情報として、前記第３の映像ファイルが編集時に素材として使用された映像ファイルである旨を表示させるとともに、当該編集後の第１の映像ファイルにおいて当該第３の映像ファイルを使用した部分と、当該第３の映像ファイルにおいて当該編集後の第１の映像ファイルに使用された部分とを識別可能に表示させる
ことを特徴とする請求項１０に記載の映像ファイル管理方法。
【請求項１２】
前記映像ファイルの検索において前記検索結果の一覧から前記編集後の第１の映像ファイルが選択された場合に、
前記関連情報表示ステップにおける前記情報管理部は、前記編集後の第１の映像ファイルと前記第３の映像ファイルとを並べて再生可能な表示画面を含む態様で、前記編集後の第１の映像ファイルの関連情報を表示させる
ことを特徴とする請求項１０に記載の映像ファイル管理方法。
【請求項１３】
前記情報管理部が、番組の構成が示された番組情報を外部から取得して前記記憶部に登録する番組情報登録ステップと、
前記検索部が、ユーザによる番組検索の検索条件の入力に応じて、前記記憶部に登録された番組情報の検索を前記情報管理部に問い合わせ、番組検索結果の一覧を表示する番組検索ステップと、
をさらに備え、
前記映像ファイルの編集によって前記番組情報に基づく番組用映像ファイルが制作されるとき、
前記操作内容取得ステップにおける前記編集部は、当該番組用映像ファイルの制作に関するユーザの操作内容を取得し、
前記関連付けデータ生成ステップにおける前記情報管理部は、前記操作内容取得ステップで取得された操作内容及び前記番組情報登録ステップで前記記憶部に登録された当該番組情報に基づいて、当該番組用映像ファイルに関する関連付けデータを生成し、
前記関連付けデータ登録ステップにおける前記情報管理部は、前記関連付けデータ生成ステップで生成した関連付けデータを前記記憶部に登録し、
前記映像ファイル登録ステップにおける前記登録部は、当該制作された番組用映像ファイルを前記記憶部に登録し、
前記番組検索ステップで表示された前記番組検索結果の一覧から何れかの番組が選択された場合には、
前記関連情報表示ステップにおける前記情報管理部は、前記選択された番組の番組用映像ファイルが紐付けられた前記関連付けデータに基づいて、当該番組の関連情報を表示させる
ことを特徴とする請求項８に記載の映像ファイル管理方法。
【請求項１４】
前記映像ファイル管理システムは、前記番組用映像ファイルを外部の放送用設備に送出する送出部をさらに有し、
前記映像ファイル登録ステップによって前記記憶部に登録された前記番組用映像ファイルに対応する番組の送出がユーザの操作によって指示された場合に、前記送出部が当該番組用映像ファイルを送出する送出ステップを、さらに備える
ことを特徴とする請求項１３に記載の映像ファイル管理方法。
【発明の詳細な説明】
【技術分野】
【０００１】
本発明は、映像ファイル管理システム及び映像ファイル管理方法に関し、映像番組を制作する場で利用される大量の映像ファイルを管理する映像ファイル管理システム及び映像ファイル管理方法に適用して好適なものである。
【背景技術】
【０００２】
従来、大量の映像ファイルが扱われる場において映像ファイルの検索を補助する技術として、検索キーワードによって映像ファイルのメタ情報を検索する方法が広く知られている。映像ファイルのメタ情報とは、映像ファイルの制作者や視聴者等によって当該映像ファイルに付加される情報であって、具体的にはタイトル情報、カテゴリ情報、及び説明文等が代表的である。
【０００３】
このような従来技術の一例として、特許文献１では、映像ファイル内の発話内容に基づいたテキストファイルを生成して新たなメタ情報とすることによって、検索キーワードによる発話内容の検索を可能にし、検索結果に基づいて、ユーザに推奨（リコメンド）する動画ファイルの優先順位を付ける動画再生方法が提案されている。
【先行技術文献】
【特許文献】
【０００４】
【特許文献１】特許第５４９９５６６号公報
【発明の概要】
【発明が解決しようとする課題】
【０００５】
しかし、上述した従来技術は、動画共有サイトのように多くの視聴者に向けて映像ファイルがアップロードされる場においては、映像ファイルに十分なメタ情報が付加され得ることから有効な検索効果に期待できるが、取り扱われる機会が少ない映像ファイルについては十分なメタ情報が登録されず有効な検索効果を得難いという課題があった。具体的には例えば、映像制作会社や放送局等において映像制作者が放送／配信用に映像番組を制作する映像制作の場では、編集時に一度使用されるだけの映像ファイルも多く存在し、このような映像ファイルには十分なメタ情報が付加（登録）されるとは限らないことから、上述した従来技術によって有効な検索結果を得ることは容易ではなく、映像制作者による映像ファイルの管理を効果的に補助することが困難であった。
【０００６】
本発明は以上の点を考慮してなされたもので、映像制作者による映像ファイルの管理を容易にすることが可能な映像ファイル管理システム及び映像ファイル管理方法を提案しようとするものである。
【課題を解決するための手段】
【０００７】
かかる課題を解決するため本発明においては、映像ファイル及び当該映像ファイルのメタ情報を格納する記憶部と、記憶部への入出力を管理する情報管理部と、ユーザによる検索条件の入力に応じて映像ファイルの検索を情報管理部に問い合わせ、検索結果の一覧を表示する検索部と、ユーザによる操作に基づいて映像ファイルを編集する編集部と、編集後の映像ファイルを記憶部に登録する登録部と、を備えた映像ファイル管理システムが提供される。この映像ファイル管理システムでは、映像ファイルの編集が行われるとき、編集部が当該映像ファイルの編集に関するユーザの操作内容を取得し、情報管理部が編集部によって取得された操作内容及び記憶部に格納された当該映像ファイルのメタ情報に基づいて、当該映像ファイルと編集内容とを紐付けた関連付けデータを生成し、該生成した関連付けデータを記憶部に登録し、登録部が当該編集が完了した編集後の映像ファイルを記憶部に登録することを特徴とする。また、本映像ファイル管理システムでは、映像ファイルの検索が行われるときに、表示された検索結果の一覧から何れかの映像ファイルが選択された場合には、情報管理部が、選択された映像ファイルが紐付けられた関連付けデータに基づいて、当該映像ファイルの関連情報を表示させることを特徴とする。
【０００８】
また、かかる課題を解決するため本発明においては、映像ファイル及び当該映像ファイルのメタ情報を格納する記憶部と、記憶部への入出力を管理する情報管理部と、ユーザによる検索条件の入力に応じて映像ファイルの検索を情報管理部に問い合わせ、検索結果の一覧を表示する検索部と、ユーザによる操作に基づいて映像ファイルを編集する編集部と、編集後の映像ファイルを記憶部に登録する登録部と、を有する映像ファイル管理システムによる映像ファイル管理方法が提供される。この映像ファイル管理方法は、映像ファイルの編集が行われるときに、編集部が当該映像ファイルの編集に関するユーザの操作内容を取得する操作内容取得ステップと、操作内容取得ステップの後に、情報管理部が編集部によって取得された操作内容及び記憶部に格納された当該映像ファイルのメタ情報に基づいて、当該映像ファイルと編集内容とを紐付けた関連付けデータを生成する関連付けデータ生成ステップと、情報管理部が、関連付けデータ生成ステップで生成した関連付けデータを記憶部に登録する関連付けデータ登録ステップと、登録部が当該編集が完了した編集後の映像ファイルを記憶部に登録する映像ファイル登録ステップと、を備える。本映像ファイル管理方法はさらに、映像ファイルの検索が行われるときに、表示された検索結果の一覧から何れかの映像ファイルが選択された場合には、情報管理部が、選択された映像ファイルが紐付けられた関連付けデータに基づいて、当該映像ファイルの関連情報を表示させる関連情報表示ステップを備えることを特徴とする。
【発明の効果】
【０００９】
本発明によれば、映像制作者による映像ファイルの管理を容易にすることができる。
【図面の簡単な説明】
【００１０】
【図１】本発明の一実施の形態に係る映像ファイル管理システムのハードウェア構成の一例を示すブロック図である。
【図２】図１に示した映像ファイル管理システムの機能構成を示すブロック図である。
【図３】情報記憶部に格納される関連付けデータを説明するための図である。
【図４】映像ファイル管理システムにおける全体的な処理の流れを示すフローチャートである。
【図５】映像ファイル検索機能に関する処理手順の一例を示すフローチャートである。
【図６】素材映像ファイル関連情報の表示画面例を示す図である。
【図７】編集済映像ファイル関連情報の表示画面例を示す図である。
【図８】番組検索機能に関する処理手順の一例を示すフローチャートである。
【図９】番組関連情報の表示画面例を示す図である。
【図１０】映像ファイル編集機能に関する処理手順の一例を示すフローチャートである。
【図１１】映像ファイル再生機能に関する処理手順の一例を示すフローチャートである。
【図１２】素材映像ファイル関連情報の別の表示画面例を示す図である。
【発明を実施するための形態】
【００１１】
以下図面について、本発明の一実施の形態を詳述する。
【００１２】
（１）映像ファイル管理システムの構成
図１は、本発明の一実施の形態に係る映像ファイル管理システムのハードウェア構成の一例を示すブロック図である。
【００１３】
映像ファイル管理システム１は、ユーザ（映像制作者等）の操作に基づいて映像ファイルの検索・再生・編集・送出等の処理を実行可能なシステムであって、図１に示すように、ユーザ端末２、情報管理サーバ３、映像管理サーバ４、送出サーバ５、情報データベース６、及び映像データベース７を備えて構成される。各構成について説明する。
【００１４】
ユーザ端末２は、映像制作者等によって映像ファイルに対して様々な操作が行われる端末装置である。図１では、ユーザ端末２に求められる機能に応じて、編集機２ａ、素材登録端末２ｂ、送出端末２ｃの３種類の端末が用意されているが、本実施の形態に係る映像ファイル管理システム１ではこのような構成に限らず、例えば全ての機能を１つの端末で実現するようにしてもよい。なお、ユーザ端末２で映像ファイルの検索・再生・編集・送出等の操作が行われる際、所定の表示装置（不図示）において当該操作に伴う表示画面が出力される。
【００１５】
編集機２ａは、映像ファイルの編集機能を有する映像編集機である。編集機２ａは、映像データベース７に格納された映像ファイルを編集できる他、情報管理サーバ３や映像管理サーバ４と情報通信することによって映像ファイルの検索や再生を行うこともできる。編集機２ａが操作されて映像ファイルの編集・検索・再生が行われるとき、当該映像ファイルに対するユーザの操作内容が取得され、取得された操作内容に基づいて情報管理サーバ３によって所定の情報処理が行われた後、情報データベース６に記録される。
【００１６】
素材登録端末２ｂは、映像ファイルの編集時に素材として用いられる映像ファイル（素材映像ファイル）を映像データベース７に登録する登録操作が行われる端末であって、例えば一般的なパーソナルコンピュータ等を利用することができる。素材登録端末２ｂにおいて素材映像ファイルの登録操作が行われると、映像管理サーバ４が当該素材映像ファイルを映像データベース７に格納させる。このとき、ファイル作成日やファイル名のような素材映像ファイルに付随する一般的なメタ情報（通常メタ情報）も映像データベース７に格納される。なお、通常メタ情報は情報データベース６にも記録されるようにしてもよい。
【００１７】
送出端末２ｃは、番組用に制作された映像ファイル（番組用映像ファイル）を放送用設備９に送出する送出操作が行われる端末であって、例えば一般的なパーソナルコンピュータ等を利用することができる。送出端末２ｃにおいて送出操作が行われると、指定した番組用映像ファイルの送出が送出サーバ５に指示され、送出サーバ５は、当該指示に基づいて、当該番組用映像ファイルを映像データベース７から取得して外部の放送用設備９に送出する。
【００１８】
情報管理サーバ３は、映像ファイル管理システム１における情報（映像ファイル自体を除く）を全般的に管理する機能を有するサーバ装置である。具体的には例えば、外部の番組管理設備８から番組情報の通知を受け取ったり、ユーザ端末２におけるユーザによる映像ファイルの操作内容を受け取ったりする他、これらの受け取った情報を情報データベース６に格納したりする。
【００１９】
映像管理サーバ４は、映像ファイル管理システム１で取り扱われる映像ファイルを管理する機能を有するサーバ装置である。具体的には例えば、素材映像ファイルや編集後の映像ファイル（編集済映像ファイル）等を映像データベース７に格納させたり、これらの格納された映像ファイルを読み出したりする。
【００２０】
送出サーバ５は、映像データベース７に格納されている番組用映像ファイルを送出する送出機能を有するサーバ装置であって、ユーザ端末２（送出端末２ｃ）からの送出指示に従って、当該番組用映像ファイルについて、放送用設備９への送出準備、送出、及び送出停止を制御する。
【００２１】
情報データベース６は、情報管理サーバ３に接続されるストレージであって、情報管理サーバ３による制御に従って、ユーザ端末２における映像ファイルに対するユーザの操作内容を示す情報や映像データベース７に格納される映像ファイルのメタ情報等を格納する。また、情報データベース６には、番組管理設備８から情報管理サーバ３に通知される番組情報も格納される。
【００２２】
映像データベース７は、映像管理サーバ４に接続されるストレージであって、映像管理サーバ４の制御に従って、映像ファイル管理システム１で取り扱われる各種の映像ファイルを格納する。
【００２３】
番組管理設備８は、放送用番組に関する構成等を決定する側の使用者が保有する外部の管理設備である。放送用番組の一般的な制作の流れとして、番組の構成（番組名や放送時間、台本、原稿、取材予定等）が放送局側で事前に決定され、決定された内容が番組情報として映像制作者に通知される。そして、映像制作者はこの番組情報に基づいて、映像ファイルを編集して番組用映像ファイルを制作し、制作した番組用映像ファイルを所定の時期に送出する。図１に示したように、番組管理設備８は情報管理サーバ３に番組情報を通知する。
【００２４】
放送用設備９は、映像ファイル管理システム１から送出された番組用映像ファイルに対して、映像の電波変化や送信処理等を行う設備である。また、放送機１０は、放送用設備９で生成された電波を送信する放送設備である。映像ファイル管理システム１の送出サーバ５から放送用設備９に送出された番組用映像は、放送用設備９で電波化された後、放送機１０から送信されることによって放送される。放送用設備９及び放送機１０は、例えば放送局が保有する設備とし、映像ファイル管理システム１には含まれない外部設備とする。
【００２５】
以上が、図１に示した各構成の詳細な説明である。なお、本実施の形態に係る映像ファイル管理システム１において、情報管理サーバ３、映像管理サーバ４、及び送出サーバ５は、図１のようにそれぞれ別のサーバ装置で実現されても良いし、組み合わせて構成されてもよい。また、情報データベース６と映像データベース７についてもその構成数は限定されず、例えば１つのデータベース内で格納領域を分ける等してもよい。また、図１では映像ファイル管理システム１が１つのユーザ端末２を備える構成を例示したが、本実施の形態に係る映像ファイル管理システム１はユーザ端末２を複数備える構成であってもよい。
【００２６】
次に、本実施の形態に係る映像ファイル管理システム１の機能構成を説明する。図２は、図１に示した映像ファイル管理システムの機能構成を示すブロック図である。図２に示すように、映像ファイル管理システム１は、情報記憶部１１、映像記憶部１２、情報管理部１３、検索部１４、登録部１５、及び映像ファイル操作部１６を備える。また、映像ファイル操作部１６は、編集部１７と再生部１８と送出部１９とを有する。
【００２７】
情報記憶部１１は、例えば情報データベース６によって実現され、情報管理部１３による制御に従って情報を格納する。具体的には例えば、映像ファイルに対する操作内容に基づいて情報管理部１３によって生成される関連付けデータや、外部から情報管理部１３に通知される番組の詳細情報（番組情報）等を格納する。関連付けデータの詳細は後述する。
【００２８】
映像記憶部１２は、例えば映像データベース７によって実現され、映像ファイル管理システム１で取り扱われる映像ファイルを格納する。映像記憶部１２には、当該素材映像ファイルの一般的なメタ情報（通常メタ情報）も格納される。
【００２９】
情報管理部１３は、例えば情報管理サーバ３及び映像管理サーバ４によって実現され、映像ファイル管理システム１の各部を全般的に管理する（管理機能）。具体的には例えば、外部から通知される番組情報を受け取ったり、他の各部による機能の実行時に行われたユーザ（映像制作者）の操作内容を受け取ったりする。
【００３０】
また、管理機能の他の具体例として、情報管理部１３は、映像ファイルに対するユーザの操作内容（映像ファイル操作部１６等から通知される）等に基づいて、情報記憶部１１に格納させる関連付けデータを生成する。関連付けデータの具体的なデータ例は後で図３に示すが、関連付けデータが生成されることによって、映像制作（映像編集）の場において、映像ファイルの制作に使用された素材としての映像ファイル、制作された映像ファイルが使用された番組、及び、映像ファイルの制作中に参照した映像ファイル等の情報を、制作される映像ファイルに関連付けることができる。なお、関連付けデータに使用される情報には、映像ファイルに対するユーザの操作内容に基づく情報が含まれており、このような情報は、ファイル作成日やファイル名のように、映像ファイル自身に付随する情報として映像ファイルに一般的に付加されるメタ情報（通常メタ情報）とは異なる性質を有するメタ情報といえるため、以後は「特別メタ情報」と呼んで区別する。
【００３１】
検索部１４は、例えばユーザ端末２及び情報管理サーバ３によって実現され、映像データベース７に格納された映像ファイルの検索（映像ファイル検索機能）及び番組の検索（番組検索機能）を行う。検索機能の詳細な処理は図５や図８を示して後述するが、概要としては、ユーザ（映像制作者）からユーザ端末２に入力される検索条件に基づいて、情報管理サーバ３が映像ファイルや番組を検索し、その検索結果がユーザ端末２の表示画面に表示される。
【００３２】
登録部１５は、例えば映像管理サーバ４によって実現され、ユーザ端末２に入力された操作に基づいて、映像管理サーバ４が対象の番組情報や映像ファイルを映像データベース７（映像記憶部１２）に登録する。映像管理サーバ４による映像ファイル等の登録は、情報管理サーバ３によって指示されてもよい。登録部１５による登録処理には、編集された映像ファイルまたは外部等から持ってきた素材映像ファイルを映像データベース７に実際に転送して登録する映像ファイル入力処理と、映像ファイル入力処理の対象となる映像ファイルの通常メタ情報を映像データベース７（または情報データベース６）に記憶させる通常メタ入力処理とが含まれる。また、登録部１５による登録処理は、必ずしもユーザ端末２へのユーザ操作を契機とする必要はなく、各種処理のなかで映像管理サーバ４または情報管理サーバ３の指示に基づいて実行されてもよい。
【００３３】
映像ファイル操作部１６は、主にユーザ端末２（編集機２ａ、素材登録端末２ｂ、送出端末２ｃ）によって実現され、映像ファイルに対して行われる検索・再生・編集・送出といった各種のユーザ操作を受け付けるとともに、一部のユーザ操作については当該ユーザ操作に基づく機能の実行も司る。映像ファイル操作部１６は、受け付けるユーザ操作に応じて編集部１７、再生部１８、及び送出部１９を有している。映像ファイル操作部１６の各部における詳細な処理は後述する。なお、本実施形態に係る映像ファイル管理システム１は、必ずしも編集部１７、再生部１８、及び送出部１９の全てを有しなくてもよく、利用環境に応じた機能構成だけを有するものであってもよい。
【００３４】
編集部１７は、映像ファイル操作部１６のうち、ユーザによる映像ファイルの編集操作を受け付ける機能を有し、例えば編集機２ａによって実現される。なお、編集機２ａは自身が映像ファイルの編集機能を有するので、この場合、編集部１７は映像ファイルの編集操作を受け付けるだけでなく編集を実行することができる。
【００３５】
再生部１８は、映像ファイル操作部１６のうち、ユーザによる映像ファイルの再生操作を受け付ける機能を有し、例えば編集機２ａによって実現される。再生部１８が所定の表示装置（不図示）を有する場合は、映像ファイルの再生操作を受け付けた再生部１８は、指定された映像ファイルを所定の表示装置において再生する。
【００３６】
送出部１９は、映像ファイル操作部１６のうち、ユーザによる番組用映像ファイルの送出操作を受け付ける機能を有し、例えば送出端末２ｃ及び送出サーバ５によって実現される。送出部１９は、送出操作を受け付ける構成（例えば送出端末２ｃによる）と、実際の送出処理を行う構成（例えば送出サーバ５）とに分けられてもよい。
【００３７】
以上が、映像ファイル管理システム１の構成である。以降は、原則として上述した機能構成を用いて映像ファイル管理システム１を詳細に説明する。
【００３８】
（２）映像ファイルの関連付けデータ
映像ファイル管理システム１で用いられる関連付けデータについて説明する。映像ファイル管理システム１は、取り扱う映像ファイルについて、一般的な通常メタ情報とは別に、各映像ファイルに対するユーザの操作や参照等に基づく情報を特別メタ情報として収集し、これらのメタ情報に基づいて映像ファイルの編集内容を関連付ける関連付けデータを生成し、情報記憶部１１（情報データベース６）に記録する。以下では、このような関連付けデータの具体例を示し、そのデータ構造を説明する。
【００３９】
図３は、情報記憶部に格納される関連付けデータを説明するための図である。図３に例示された各データは、編集済映像ファイル、素材映像ファイル、及び参照映像ファイルに対する関連付けデータの一例を具体的に示したものである。図３（Ａ）には番組用映像ファイル情報１１０が例示され、図３（Ｂ）には編集済映像ファイル情報１２０が例示され、図３（Ｃ）には参照映像ファイル情報１３０が例示されている。
【００４０】
図３（Ａ）に例示した番組用映像ファイル情報１１０は、番組に使用される映像ファイルに関する情報をテーブル形式でまとめた関連付けデータであって、番組に使用される編集済の映像ファイル（編集済映像ファイル）ごとに、当該番組との関係を示す情報が保持される。番組用映像ファイル情報１１０は、例えば、送出部１９による送出処理の実行時に作成される。
【００４１】
図３（Ａ）に示したように、番組用映像ファイル情報１１０は、当該番組の番組名が記載された番組名欄１１１、当該番組を放送する放送局のコードが記載された局コード欄１１２、当該番組の放送日が記載された放送日欄１１３、当該番組の放送開始時刻及び放送終了時刻が記載された番組開始時刻欄１１４、番組終了時刻欄１１５、当該番組のなかで使用された編集済映像ファイルが識別子（編集済映像ファイルＩＤ）で記載された編集済映像ファイルＩＤ欄１１６、及び、当該番組内で編集済映像ファイルが使用される時間の開始時刻及び終了時刻が記載された編集済映像開始時刻欄１１７、編集済映像終了時刻欄１１８を備えて構成される。
【００４２】
図３（Ｂ）に例示した編集済映像ファイル情報１２０は、編集された映像ファイル（編集済映像ファイル）に関する情報をテーブル形式でまとめた関連付けデータであって、編集済映像ファイルの編集時（制作時を含む）に素材として使用された映像ファイル（素材映像ファイル）ごとに、当該編集済映像ファイルとの関係を示す情報が保持される。編集済映像ファイル情報１２０は、例えば、編集部１７による映像ファイルの編集処理の実行時、または登録部１５による編集済映像ファイルの登録処理の実行時に作成される。
【００４３】
図３（Ｂ）に示したように、編集済映像ファイル情報１２０は、編集済映像ファイルの識別子が記載された編集済映像ファイルＩＤ欄１２１、当該編集済映像ファイルの編集時に使用された素材映像ファイルが識別子（素材映像ファイルＩＤ）で記載された素材映像ファイルＩＤ欄１２２、当該編集済映像ファイルの編集者（映像制作者）が識別子（制作者ＩＤ）で記載された制作者ＩＤ欄１２３、当該編集済映像ファイルのなかで素材映像ファイルが使用された時間の開始時間と終了時間が記載された編集済映像開始時間欄１２４、編集済映像終了時間欄１２５、当該編集済映像ファイルに使用された素材映像ファイルの開始時間と終了時間が記載された素材映像開始時間欄１２６、素材映像終了時間欄１２７、及び、素材映像ファイルに対して行われた映像効果が記載された映像効果欄１２８を備えて構成される。
【００４４】
なお、編集済映像ファイル情報１２０においては、編集済映像ファイルの時間（編集済映像開始時間欄１２４、編集済映像終了時間欄１２５）と素材映像ファイルの時間（素材映像開始時間欄１２６、素材映像終了時間欄１２７）とは必ずしも一致している必要はない。例えば図３（Ｂ）のデータ行の２行目の場合、映像効果欄１２８に「スロー」と記載されているように、素材映像ファイルをスロー再生したものを編集済映像ファイルに使用しているため、１５分間の素材映像ファイルが２０分間の編集済映像ファイルに使用されたと示される。また、編集済映像ファイル情報１２０が保持可能な情報は図３（Ｂ）の例に限らず、さらに詳細な編集情報を保持するようにしてもよい。
【００４５】
図３（Ｃ）に例示した参照映像ファイル情報１３０は、映像ファイルの編集時に参考にされた映像ファイル（参照映像ファイル）に関する情報をテーブル形式でまとめた関連付けデータである。参照映像ファイルは、映像ファイルの編集中に映像制作者が再生する等して編集の参考にした映像ファイルのことであって、参照映像ファイル自身は素材として当該映像ファイルに使用されず参照されたのみである点で、上述の素材映像ファイルとは異なる。参照映像ファイル情報１３０は、例えば、編集部１７による映像ファイルの編集処理の途中で再生部１８によって別の映像ファイル（参照映像ファイル）の再生処理が実行されるときに作成される。
【００４６】
図３（Ｃ）に示したように、参照映像ファイル情報１３０は、編集済映像ファイルの識別子が記載された編集済映像ファイルＩＤ欄１３１と、当該編集済映像ファイルの編集中に参照された映像ファイルが識別子（参照映像ファイルＩＤ）で記載された参照映像ファイルＩＤ欄１３２とを備えて構成される。
【００４７】
なお、図３（Ａ）〜図３（Ｃ）にかけて破線で示したように、番組用映像ファイル情報１１０、編集済映像ファイル情報１２０、及び参照映像ファイル情報１３０には、共通する特別メタ情報として編集済映像ファイルＩＤ（編集済映像ファイルＩＤ欄１１６、１２１、１３１）が記載されており、この編集済映像ファイルＩＤによって図３（Ａ）〜図３（Ｃ）の各データは互いに紐付けされる。そして、このような紐付けによって、番組、編集済映像ファイル、素材映像ファイル、または参照映像ファイルの何れからでも、他の関連する情報を辿ることができるようになる。
【００４８】
また、図３で例示した関連付けデータのデータ項目は、一部のデータ項目（番組用映像ファイル情報１１０において番組情報に基づいて登録されるデータ項目等）を除き、映像ファイル編集時の映像制作者の操作内容に基づいて映像ファイル管理システム１が自動的に生成可能なデータ項目から構成されている。
【００４９】
また、図３で例示したデータ構造（テーブル構成）は一例に過ぎず、それぞれの関連付けデータ間の対応関係を維持できる範囲内で、適宜データ項目の追加または削除を行ってもよい。具体的には例えば、映像ファイル管理システム１の使用用途や使用環境の規模等に応じて、局コード欄１１２や制作者ＩＤ欄１２３等を削除したり、番組概要等を追加したりすることができる。
【００５０】
（３）全体処理
図４は、映像ファイル管理システムにおける全体的な処理の流れを示すフローチャートである。図４には、映像ファイル管理システム１において、番組に関する情報（番組情報）が外部から通知されたことに基づいて番組用の映像ファイル（番組用映像ファイル）を制作し、所定の送出時刻が到来すると、番組用映像ファイルを外部の放送用設備９に送出する処理が示されている。図４の各ステップについて以下に説明するが、ステップＳ１０３〜Ｓ１０５の処理は、映像ファイル管理システム１が有する送出機能に相当する。
【００５１】
まずステップＳ１０１において、情報管理部１３は、外部（例えば番組管理設備８）から通知される番組情報を取得する。一般に、番組情報は放送局側で決定されて映像制作会社等に通知される。番組情報には例えば、番組名、番組を放送する放送局、放送日時、台本、原稿等が含まれる。
【００５２】
ここで、情報管理部１３は、ステップＳ１０１で取得した番組情報に対応する番組用映像ファイル情報１１０を新たに作成し、作成した番組用映像ファイル情報１１０に上記番組情報の所定の内容を登録する。具体的には、図３（Ａ）に例示した番組用映像ファイル情報１１０の場合、番組名欄１１１、局コード欄１１２、放送日欄１１３、番組開始時刻欄１１４、番組終了時刻欄１１５のデータ項目が登録される。なお、番組用映像ファイル情報１１０は、後述するステップＳ１０３の段階で各データ項目への登録が完成して情報記憶部１１に格納されるが、現段階では全てのデータ項目の登録が完了していないという理由から、情報記憶部１１に格納せずに情報管理部１３のメモリ（例えばサーバ内のキャッシュ用メモリ等）に一時的に保持するようにしてもよい。
【００５３】
そしてステップＳ１０２では、映像ファイル管理システム１の映像ファイル操作部１６が映像制作会社の映像制作者によって操作されることによって、ステップＳ１０１で取得した番組情報に基づいて番組用映像ファイルが制作される。番組用映像ファイルの制作では、映像ファイル操作部１６の各部によって映像ファイルの検索、編集、再生等、様々な映像ファイル操作処理が行われる。一般的には、複数の素材映像ファイルを編集して編集済映像ファイルが作成され、複数の編集済映像ファイルを繋ぐことによって、番組用映像ファイルが制作される。
【００５４】
なお、映像ファイル操作処理の詳細は後述するが、映像ファイルの編集中はその操作内容（編集内容）が収集される。そして、映像ファイルの編集の終了時には、収集された操作内容（またはその一部）に基づいて、情報管理部１３が映像ファイルの関連情報（番組用映像ファイル情報１１０、編集済映像ファイル情報１２０、参照映像ファイル情報１３０）を作成し、情報記憶部１１に登録する。
【００５５】
次いで、番組用映像ファイルの制作が終了すると、情報管理部１３が、ステップＳ１０２における番組用映像ファイルの制作時の操作内容に基づいて、ステップＳ１０１における番組情報の取得時に作成した番組用映像ファイル情報１１０のデータ項目への登録を完成させ、完成した番組用映像ファイル情報１１０を情報記憶部１１に格納する（ステップＳ１０３）。具体的には、図３（Ａ）に例示した番組用映像ファイル情報１１０の場合、編集済映像ファイルＩＤ欄１１６、編集済映像開始時刻欄１１７、及び編集済映像終了時刻欄１１８が登録されることによって、番組用映像ファイル情報１１０の全データ項目への登録が完成する。
【００５６】
ステップＳ１０２及びＳ１０３の処理が行われることによって、番組用映像ファイルとそれに対応する番組用映像ファイル情報１１０の準備が完了する。そしてステップＳ１０４では、ユーザによる番組用映像ファイルの送出操作が行われたことを契機として、映像ファイル操作部１６の送出部１９が、番組用映像ファイルを送出するための準備登録を行う（送出準備）。ここで、一般に放送用の映像ファイルの送出（転送）においては、映像に空白が発生しないよう、正確な送出が行われることが求められる。したがって送出予定の番組用映像ファイルを事前準備する必要があり、これを送出準備と呼ぶ。
【００５７】
そして、所定の送出時刻が到来すると、送出部１９は、ステップＳ１０４で準備登録した番組用映像の映像ファイルを放送用設備９に送出する（ステップＳ１０５）。
【００５８】
（４）映像ファイル検索
図４のステップＳ１０２で述べたように、番組用映像ファイルの制作時には、映像ファイル操作部１６の各部によって映像ファイルの検索、編集、再生等、様々な映像ファイル操作処理が行われる。以下では、このような映像ファイル操作処理のうち、映像ファイルを検索する映像ファイル検索機能について説明する。
【００５９】
図５は、映像ファイル検索機能に関する処理手順の一例を示すフローチャートである。映像ファイル検索機能は、ユーザ（例えば映像制作者）によって入力される検索条件に基づいて映像ファイルを検索し、選択された映像ファイルの情報を表示する機能であって、主に検索部１４及び情報管理部１３によって実行される。また、検索結果や関連情報の表示（ステップＳ２０２，Ｓ２０５，Ｓ２０７）は、ユーザが閲覧可能な所定の表示装置に出力されるとする。
【００６０】
まず、映像ファイル操作部１６においてユーザによって映像ファイルの検索条件が入力されると（ステップＳ２０１）、検索部１４は検索条件を情報管理部１３に問い合わせる。情報管理部１３は、問い合わせに応じて、情報記憶部１１（または映像記憶部１２）に記録された情報を参照し、当該検索条件に該当する通常メタ情報を有する映像ファイルを検索する。そして、情報管理部１３による検索の結果が一覧表示される（ステップＳ２０２）。ステップＳ２０２における検索結果の一覧表示の表示態様は特に限定されるものではなく、ディスプレイ等の所定の表示機器の表示画面に一般的な表示態様で出力されればよい。
【００６１】
ステップＳ２０３では、ステップＳ２０２で表示された検索結果一覧のなかからユーザが参照したい映像ファイルが存在するか否かを判定する。検索結果一覧のなかにユーザが参照したい映像ファイルが存在する場合は、ユーザによって当該映像ファイルを選択する操作が行われ（ステップＳ２０３のＹＥＳ）、ステップＳ２０４の処理に進む。検索結果一覧のなかにユーザが参照したい映像ファイルが存在しなかった場合は、何れの映像ファイルも選択されず（ステップＳ２０３のＮＯ）、別の検索条件によって映像ファイルを再度検索するためにステップＳ２０１の処理に戻る。
【００６２】
ステップＳ２０４では、ステップＳ２０３で選択された映像ファイルが素材映像ファイルか編集済映像ファイルであるかを判定する。素材映像ファイルである場合は、ステップＳ２０５の処理に進み、編集済映像ファイルである場合はステップＳ２０７の処理に進む。
【００６３】
ステップＳ２０５では、情報管理部１３が、ユーザによって選択された素材映像ファイルに関する情報の表示として素材映像ファイル関連情報を表示させる。素材映像ファイル関連情報は、情報管理部１３が情報記憶部１１（または映像記憶部１２）に格納されている情報を参照することによって生成され、素材映像ファイルの通常メタ情報の他、当該素材映像ファイルと関連する映像ファイル（関連映像ファイル）の情報等の特別メタ情報を含む。より具体的には、情報管理部１３は、情報記憶部１１から当該素材映像ファイルの通常メタ情報を取得するとともに、情報記憶部１１に格納されている特別メタ情報に基づく各データ（番組用映像ファイル情報１１０、編集済映像ファイル情報１２０、参照映像ファイル情報１３０）のうちから当該素材映像ファイルが紐付けられたデータを参照し、当該紐付けられたデータの登録内容に基づいて、当該素材映像ファイルの関連情報を所定の表示形式で表示出力させる。なお、素材映像ファイルの関連映像ファイルとは、当該素材映像ファイルが使用された編集済映像ファイルを意味する。
【００６４】
図６は、素材映像ファイル関連情報の表示画面例を示す図である。図６に例示した表示画面２１０は、第１表示領域２１１、第２表示領域２１２、及び第３表示領域２１３から構成されている。以下に、各表示領域に表示される内容とその取得先を説明するが、後述する他の表示画面（図７，図９，図１２）については、図６と同様の内容については説明を省略する。
【００６５】
第１表示領域２１１には、対象の素材映像ファイルに付された識別子（素材映像ファイルＩＤ）が表示される。素材映像ファイルＩＤは、編集済映像ファイル情報１２０（図３（Ｂ）参照）に記載された素材映像ファイルＩＤと対応している。
【００６６】
第２表示領域２１２には、対象の素材映像ファイル（当該映像ファイル）のメタ情報が表示される。具体的には、当該映像ファイルのタイトル名（映像ファイルタイトル）、当該映像ファイルの再生時間（映像ファイル再生時間）、及び登録部１５によって映像記憶部１２に登録された日時（登録日時）等が表示される。映像ファイルタイトル及び映像ファイル再生時間は、当該映像ファイルの通常メタ情報から取得される。また、登録日時は、登録部１５による登録処理に関する当該映像ファイルの特別メタ情報から取得できる。
【００６７】
第３表示領域２１３には、対象の素材映像ファイルを使用して制作された編集済映像ファイルの一覧が表示される。具体的には、編集済映像ファイルに付された識別子（編集済映像ＩＤ）、編集済映像ファイルのタイトル名（編集済映像ファイルタイトル）等が表示される。ここで、情報管理部１３は、図３（Ｂ）に示した編集済映像ファイル情報１２０を参照することによって、対象の素材映像ファイルが使用された編集済映像ファイルを識別することができる。
【００６８】
なお、図６に示した表示画面２１０においては、所定の表示項目（例えば、編集済映像ファイルタイトル）の表示内容をユーザがクリック等によって選択可能とする。このようにすることで、素材映像ファイル関連情報の表示内容のうちから、ユーザが参照したい関連映像ファイルを選択することができ、当該選択された関連映像ファイルの関連情報をさらに参照することができるようになる。また、図６には図示していないが、表示画面２１０に、映像ファイルの操作（例えば編集または再生）や検索等をユーザが選択できるようなボタン等が用意されてもよい。これらは、後述する他の表示画面（図７，図９，図１２）でも同様とする。
【００６９】
ステップＳ２０５で素材映像ファイル関連情報を表示した後は、検索部１４は、素材映像ファイル関連情報が表示された映像ファイルの操作、関連映像ファイルの参照、または映像ファイルの再検索の何れがユーザによって選択されるかを判定する（ステップＳ２０６）。
【００７０】
ステップＳ２０６において映像ファイルの操作（編集または再生）が選択された場合には、ステップＳ２０９の処理に進み、選択内容に応じた映像ファイル操作が行われる。なお、ステップＳ２０６からステップＳ２０９に進む場合、素材映像ファイルに対して送出操作が行われることは想定されない。そしてステップＳ２０９の処理のうち、映像ファイルを編集する操作が行われるときの詳細な処理は図１０を参照して後述し、映像ファイルを再生する操作が行われるときの詳細な処理は図１１を参照して後述する。
【００７１】
また、ステップＳ２０６において関連映像ファイルの参照が選択されるとは、例えば図６の表示画面２１０の場合、第３表示領域２１３に示されたＩＤ「１１１１１１１１１１」の編集済映像ファイルがクリック等によって選択されることに相当する。このとき、選択された編集済映像ファイルに関する情報を表示するために、ステップＳ２０４の処理に戻る。
【００７２】
また、ステップＳ２０６において映像ファイルの再検索が選択される場合は、改めて検索条件の入力が行われる必要があるため、ステップＳ２０１の処理に戻る。
【００７３】
一方、ステップＳ２０７では、情報管理部１３が、ユーザによって選択された編集済映像ファイルに関する情報の表示として編集済映像ファイル関連情報を表示させる。編集済映像ファイル関連情報は、情報管理部１３が情報記憶部１１（または映像記憶部１２）に格納されている情報を参照することによって生成され、編集済映像ファイルの通常メタ情報の他、当該編集済映像ファイルと関連する映像ファイル（関連映像ファイル）の情報等の特別メタ情報を含む。より具体的には、情報管理部１３は、情報記憶部１１から当該編集済映像ファイルの通常メタ情報を取得するとともに、情報記憶部１１に格納されている特別メタ情報に基づく各データ（番組用映像ファイル情報１１０、編集済映像ファイル情報１２０、参照映像ファイル情報１３０）のうちから当該編集済映像ファイルが紐付けられたデータを参照し、当該紐付けられたデータの登録内容に基づいて、当該素材映像ファイルの関連情報を所定の表示形式で表示出力させる。なお、編集済映像ファイルの関連映像ファイルとは、当該編集済映像ファイルの編集時に使用された素材映像ファイル、当該編集済映像ファイルの編集時に参照された参照映像ファイル、または当該編集済映像ファイルが使用された番組用映像ファイルを意味する。
【００７４】
図７は、編集済映像ファイル関連情報の表示画面例を示す図である。図７に例示した表示画面２２０は、第１表示領域２２１、第２表示領域２２２、第３表示領域２２３、第４表示領域２２４、及び第５表示領域２２５から構成されている。
【００７５】
第１表示領域２２１には、対象の編集済映像ファイルに付された識別子（編集済映像ファイルＩＤ）が表示される。素材映像ファイルＩＤは、編集済映像ファイル情報１２０（図３（Ｂ）参照）に記載された素材映像ファイルＩＤと対応している。また、第２表示領域２２２には、対象の編集済映像ファイル（当該映像ファイル）の通常メタ情報が表示される。
【００７６】
第３表示領域２２３には、対象の編集済映像ファイルに使用された素材映像ファイルの一覧が、詳細な情報を付して表示される。第３表示領域２２３の表示内容は、編集済映像ファイル情報１２０から取得できる（図３（Ｂ）参照）。
【００７７】
第４表示領域２２４には、対象の編集済映像ファイルが使用された番組用映像ファイルの一覧が表示される。第４表示領域２２４の表示内容は、番組用映像ファイル情報１１０から取得できる（図３（Ａ）参照）。
【００７８】
第５表示領域２２５には、対象の編集済映像ファイルの編集中に参照した参照映像ファイルの一覧が表示される。第５表示領域２２５の表示内容は、参照映像ファイル情報１３０から取得できる（図３（Ｃ）参照）。
【００７９】
ステップＳ２０７で編集済映像ファイル関連情報を表示した後は、検索部１４は、編集済映像ファイル関連情報が表示された映像ファイルの操作、関連映像ファイルの参照、または番組の参照の何れがユーザによって選択されるかを判定する（ステップＳ２０８）。
【００８０】
ステップＳ２０８において映像ファイルの操作（編集または再生）が行われる場合には、ステップＳ２０６の場合と同様に、ステップＳ２０９の処理に進む。
【００８１】
また、ステップＳ２０８において関連映像ファイルの参照が選択されるとは、例えば図７の表示画面２２０に表示された素材映像ファイルまたは参照映像ファイルがクリック等によって選択されることに相当する。このとき、選択された映像ファイルに関する情報を表示するために、ステップＳ２０４の処理に戻る。
【００８２】
また、ステップＳ２０８において番組の参照が選択されるとは、例えば図７の表示画面２２０に表示された番組名がクリック等によって選択されることに相当する。このとき、選択された番組の映像ファイル（番組用映像ファイル）に関する情報を表示するために、後述する図８のステップＳ３０４の処理に進む（図５の「Ａ」）。
【００８３】
なお、図７には図示していないが、ステップＳ２０８において上記の何れの選択も行われず映像ファイルの再検索を行うことが選択された場合には、ステップＳ２０６と同様、ステップＳ２０１からの処理が繰り返されるようにしてもよい。
【００８４】
以上、図５に示した処理が行われることによって、映像ファイル管理システム１は、ユーザの検索条件に基づいた映像ファイルの検索結果を表示するだけでなく、検索結果から選択された映像ファイルの詳細な関連情報を表示することができる。そしてこの関連情報に、過去のユーザ操作の操作内容に基づいた特別メタ情報を含めるようにすることで、映像ファイルと他の映像ファイルとの関連性をユーザが容易に認識できるようにすることができる。
【００８５】
（５）番組検索
次に、映像ファイル操作処理のうち、番組を検索する番組検索機能について説明する。
【００８６】
図８は、番組検索機能に関する処理手順の一例を示すフローチャートである。番組検索機能は、ユーザ（例えば映像制作者）によって入力される検索条件に基づいて番組を検索し、選択された番組に使用された映像ファイル等の情報を表示する機能であって、主に検索部１４及び情報管理部１３によって実行される。
【００８７】
まず、映像ファイル操作部１６においてユーザによって番組の検索条件が入力されると（ステップＳ３０１）、検索部１４は検索条件を情報管理部１３に問い合わせる。情報管理部１３は、問い合わせに応じて、情報記憶部１１に記録された番組情報等を参照し、当該検索条件に該当する番組を検索する。そして、情報管理部１３による検索の結果が検索部１４によって一覧表示される（ステップＳ３０２）。ステップＳ３０２における検索結果の一覧表示の表示態様は特に限定されるものではなく、ディスプレイ等の所定の表示機器の表示画面に一般的な表示態様で出力されればよい。
【００８８】
ステップＳ３０３では、ステップＳ３０２で表示された検索結果一覧のなかからユーザが参照したい番組が存在するか否かを判定する。検索結果一覧のなかにユーザが参照したい番組が存在する場合は、ユーザによって当該番組を選択する操作が行われ（ステップＳ３０３のＹＥＳ）、ステップＳ３０４の処理に進む。検索結果一覧のなかにユーザが参照したい番組が存在しなかった場合は、何れの番組も選択されず（ステップＳ３０３のＮＯ）、別の検索条件によって番組を再度検索するためにステップＳ３０１の処理に戻る。
【００８９】
ステップＳ３０４では、情報管理部１３が、ステップＳ３０３で選択された番組に関する情報の表示として番組関連情報を表示させる。番組関連情報は、情報記憶部１１に格納されている番組情報、及び番組用映像ファイルの特別メタ情報を参照することによって生成される。より具体的には、情報管理部１３は、番組情報に基づいて、番組用映像ファイル情報１１０のうちから当該番組が紐付けられたデータを参照し、当該紐付けられたデータの登録内容を用いて番組関連情報を所定の表示形式で表示出力させる。すなわち、番組関連情報では、当該番組の番組用映像ファイルに使用された編集済映像ファイルの情報まで表示される。
【００９０】
図９は、番組関連情報の表示画面例を示す図である。図９に例示した表示画面２３０は、第１表示領域２３１、第２表示領域２３２、及び第３表示領域２３３から構成されている。
【００９１】
第１表示領域２３１には、対象の番組の放送局についてその識別子（局コード）と局名とが表示される。また第２表示領域２３２には、対象の番組の詳細として、放送日時、番組名、出演者、及び番組概要等が表示される。第１表示領域２３１及び第２表示領域の表示内容は、情報記憶部１１に格納された当該番組の番組情報から取得できる。
【００９２】
第３表示領域２３３には、対象の番組の番組用映像ファイルに使用された編集済映像ファイルに関する情報が表示される。具体的には、当該番組用映像ファイルに使用された編集済映像ファイルについて、その識別子（編集済映像ファイルＩＤ）、ファイル名（編集済映像ファイルタイトル）、及び番組内で使用される時間帯（放送時間帯）が表示される。第３表示領域２３３の表示内容は番組用映像ファイル情報１１０から取得でき（図３（Ａ）参照）、例えば、「放送時間帯」に表示される情報は番組用映像ファイル情報１１０の編集済映像開始時刻欄１１７及び編集済映像終了時刻欄１１８に記載された情報に対応する。
【００９３】
なお、図９には図示していないが、表示画面２３０では、第３表示領域２３３に表示された編集済映像ファイルを参照するための選択を可能にするだけでなく、当該番組の番組用映像ファイルに対する送出処理の開始をユーザが選択できるようなボタン等が用意されてもよい。
【００９４】
また、図９には図示していないが、表示画面２３０において、第３表示領域２３３に表示された編集済映像ファイルのサムネイルを表示するようにしてもよい。このようにした場合、ユーザは番組用映像ファイルにどのような編集済映像ファイルが使用されているかをより視覚的に認識することができる。
【００９５】
ステップＳ３０４で番組関連情報を表示した後は、検索部１４は、番組関連情報に表示された編集済映像ファイルの参照がユーザによって選択されるかを判定する（ステップＳ３０５）。ステップＳ３０５において編集済映像ファイルの参照が選択された場合は（ステップＳ３０５のＹＥＳ）、選択された編集済映像ファイルに関する情報を表示するために、前述した図５のステップＳ２０７の処理に進む（図８の「Ｂ」）。
【００９６】
なお、ステップＳ３０５では、ステップＳ３０４で番組関連情報が表示された番組の番組用映像ファイルを送出することがユーザによって選択されるか否かも判定するようにしてよい。番組用映像ファイルの送出が選択された場合には、図４のステップＳ１０４で説明したように、送出部１９が番組用映像ファイルの送出準備を行う。
【００９７】
以上、図８に示した処理が行われることによって、映像ファイル管理システム１は、ユーザの検索条件に基づいた番組の検索結果を表示するだけでなく、検索結果から選択された番組の詳細な関連情報を表示することができる。そしてこの関連情報に、番組用映像ファイルに関する特別メタ情報を含めるようにすることで、番組と使用された編集済映像ファイルとの関連性をユーザが容易に認識できるようにすることができる。
【００９８】
（６）映像ファイル編集
以下では、映像ファイル操作処理のうち、映像ファイルを編集する映像ファイル編集機能について説明する。
【００９９】
図１０は、映像ファイル編集機能に関する処理手順の一例を示すフローチャートである。映像ファイル編集機能は、ユーザ（映像制作者）による編集機２ａの使用に基づいて映像ファイルを編集する機能であって、主に編集部１７及び情報管理部１３によって実行される。映像ファイル編集機能が実行されることによって、編集済映像ファイルが制作される。
【０１００】
まず、映像ファイル操作部１６において映像ファイルの編集を開始する旨の操作がユーザによって行われると、編集部１７が情報管理部１３に編集の開始を通知する（ステップＳ４０１）。このとき、編集開始の操作を行ったユーザ名、及び編集対象となる素材映像ファイルの識別子等が合わせて通知される。
【０１０１】
そして、情報管理部１３は、編集部１７からの通知に基づいて、ユーザ名や使用される素材映像ファイルの識別子等を、自身が備えるメモリ（例えばキャッシュ）に記録する（ステップＳ４０２）。具体的には、新たな編集済映像ファイルＩＤを採番して編集済映像ファイル情報１２０（図３（Ｂ）参照）と同形式のテーブルデータを生成し、当該テーブルデータに素材映像ファイルＩＤや制作者ＩＤを記録する。採番された編集済映像ファイルＩＤは情報管理部１３から編集部１７に通知されてもよい。
【０１０２】
その後、編集部１７によって映像ファイルの編集が開始される（ステップＳ４０３）。映像ファイルの編集中、編集部１７は、映像ファイルの編集に関するユーザの操作内容を、自身が備えるメモリ（例えばキャッシュ）に記録する（ステップＳ４０４）。なお、ステップＳ４０４における編集内容の記録は、編集済映像ファイル情報１２０に記録可能な編集内容に限られない。例えば、映像ファイルの編集時に再生された参照映像ファイルがあった場合には、編集部１７は参照映像ファイルの情報も記録する。また例えば、映像ファイルの編集において番組用映像ファイルが制作された場合には、編集部１７は番組用映像ファイルの編集内容も記録する。
【０１０３】
そして編集部１７は、映像ファイルの編集中は上記のように映像ファイルの編集に関するユーザの操作内容を記録しながら、編集を終了する旨の操作がユーザによって行われるか否かを判定する（ステップＳ４０５）。
【０１０４】
映像ファイルの編集終了が判定された場合には（ステップＳ４０５のＹＥＳ）、登録部１５が、編集された編集済映像ファイルを映像記憶部１２（映像データベース７）に登録する（ステップＳ４０６）。そして編集部１７は情報管理部１３に対して、映像ファイルの編集が終了したことを通知するとともに、ステップＳ４０４で自身のメモリに記録した編集内容を通知する（ステップＳ４０７）。
【０１０５】
次いで情報管理部１３は、ステップＳ４０７で編集部１７から通知された編集内容に基づいて、ステップＳ４０２で自身のメモリに生成した「編集済映像ファイル情報１２０と同形式のテーブルデータ」を完成させ、当該テーブルデータによって、情報記憶部１１に格納されている編集済映像ファイル情報１２０を更新・登録する（ステップＳ４０８）。
【０１０６】
なお、ステップＳ４０８における情報管理部１３による情報記憶部１１の更新・登録は、編集済映像ファイル情報１２０に限るものではない。例えば、ステップＳ４０７で編集部１７から通知された編集内容に番組用映像ファイルの編集内容が含まれていた場合には、情報管理部１３は自身のメモリに番組用映像ファイル情報１１０（図３（Ａ）参照）と同形式のテーブルデータを生成し、当該テーブルデータに編集部１７からの通知内容を反映させて完成させ、当該テーブルデータによって、情報記憶部１１に格納されている番組用映像ファイル情報１１０を更新・登録する。また同様に、ステップＳ４０７で編集部１７から通知された編集内容に参照映像ファイルの情報が含まれていた場合には、情報管理部１３は自身のメモリに参照映像ファイル情報１３０（図３（Ｃ）参照）と同形式のテーブルデータを生成し、当該テーブルデータに編集部１７からの通知内容を反映させて完成させ、当該テーブルデータによって、情報記憶部１１に格納されている参照映像ファイル情報１３０を更新・登録する。
【０１０７】
一方、ステップＳ４０５において映像ファイルの編集終了が判定されなかった場合には（ステップＳ４０５のＮＯ）、映像ファイルの編集が継続中であることを意味し、このときはステップＳ４０９の処理が行われる。映像ファイルの編集中は、参考や追加編集等を目的として別の映像ファイル（または番組）が検索されることがあり、ステップＳ４０９では、編集部１７がユーザによってこれらを検索する操作が行われるか否かを判定する。別の映像ファイル（または番組）を検索する操作の実行を判定した場合は（ステップＳ４０９のＹＥＳ）、検索対象に応じて既述の処理が行われる。具体的には例えば、別の映像ファイルを検索する場合は図５に示した映像ファイル検索が行われ、番組を検索する場合は、図６に示した番組検索が行われる。また、ステップＳ４０９で別の映像ファイル（または番組）を検索する操作の実行が判定されなかった場合は（ステップＳ４０９のＮＯ）、単純に映像ファイルの編集が継続中であると判断できるため、ステップＳ４０３からの処理に戻る。
【０１０８】
以上、図１０に示した処理が行われることによって、映像ファイルの編集機能として、映像ファイルの編集が行われ、完成後の編集済映像ファイルが映像記憶部１２に登録されるとともに、当該編集に関するユーザの操作内容（編集内容）の情報管理部１３への通知を経て編集済映像ファイルの関連付けデータが情報記憶部１１に登録される。
【０１０９】
（７）映像ファイル再生
以下では、映像ファイル操作処理のうち、映像ファイルを再生する映像ファイル再生機能について説明する。
【０１１０】
図１１は、映像ファイル再生機能に関する処理手順の一例を示すフローチャートである。映像ファイル再生機能では、ユーザ（例えば映像制作者）によって指定された所定の映像ファイルを再生する機能であって、主に再生部１８及び情報管理部１３によって実行される。
【０１１１】
まず、映像ファイル操作部１６において映像ファイルの再生を開始する旨の操作がユーザによって行われると、再生部１８が情報管理部１３に再生の開始を通知する（ステップＳ５０１）。このとき、再生開始の操作を行ったユーザ名、及び再生対象の映像ファイルの識別子等（映像ファイルの格納パスやファイル名等でもよい）が情報管理部１３に通知される。
【０１１２】
そして、情報管理部１３は、ステップＳ４０１の通知に基づいて、所定の映像ファイルを再生部１８に転送するよう映像記憶部１２に指示し、転送された当該映像ファイルが所定の表示機器で再生される（ステップＳ５０２）。
【０１１３】
次に、情報管理部１３は、ステップＳ５０１で通知されたユーザ名に基づいて、当該ユーザが映像ファイルを編集中であるか否かを判定する（ステップＳ５０３）。なお、ステップＳ５０３で編集中かを判定される映像ファイルは、再生中の映像ファイルとは別の映像ファイルである。
【０１１４】
ステップＳ５０３において映像ファイルを編集中であると判定された場合は（ステップＳ５０３のＹＥＳ）、映像ファイルの編集中に別の映像ファイルが再生されているという状況を意味するため、情報管理部１３は、再生中の映像ファイルを編集中の映像ファイルの参照映像ファイルとして関連付けて記録する（ステップＳ５０４）。ステップＳ５０４における関連付けの記録は、情報管理部１３自身のメモリに一時的に記録した後に、情報記憶部１１の参照映像ファイル情報１３０を更新して登録するようにしてもよいし、直接参照映像ファイル情報１３０を更新して登録するようにしてもよい。また、参照映像ファイルであることを情報管理部１３から編集部１７に通知し、編集部１７のメモリで一時的に参照映像ファイルの情報を記録するようにしてもよい。この場合、図１０のステップＳ４０７〜Ｓ４０８で説明したように、映像ファイルの編集終了時に編集内容が編集部１７から情報管理部１３に通知されることを経て、情報記憶部１１の参照映像ファイル情報１３０が更新・登録される。
【０１１５】
ステップＳ５０４で参照映像ファイルの関連付けが記録された後は、再生部１８は映像ファイルの再生が終わるのを待ち、再生終了の際に、情報管理部１３に再生終了を通知することによって（ステップＳ５０５）、再生機能は終了する。また、ステップＳ５０３において映像ファイルを編集中ではないと判定された場合も（ステップＳ５０３のＮＯ）、ステップＳ５０４の処理を行うことなくステップＳ５０５の処理が行われて再生機能が終了する。
【０１１６】
（８）効果
以上に説明したように、本実施の形態に係る映像ファイル管理システム１は、映像ファイル（番組用映像ファイル、編集済映像ファイル、素材映像ファイル）に対して様々な操作（検索・再生・編集・送出等）を実行することができる。そして、外部から通知される番組情報に加えて、映像ファイルの編集や再生が行われるときには、映像ファイル操作部１６によってその操作内容が取得され、情報管理部１３が、取得された操作内容に基づく映像ファイルの特別メタ情報を通常メタ情報と合わせてまとめることによって関連付けデータを生成して情報記憶部１１（情報データベース６）に登録することによって、各映像ファイルの詳細な関連情報を管理することができる。
【０１１７】
このような本実施の形態に係る映像ファイル管理システム１によれば、映像記憶部１２（映像データベース７）に格納される映像ファイルについて、各映像ファイルの関連情報が情報記憶部１１（情報データベース６）で管理され、映像ファイル等を検索するときの検索結果の表示画面において、従来の通常メタ情報だけでは提示することができない、当該映像ファイルの詳細な関連情報を提示することができ、さらに、番組用映像ファイル、編集済映像ファイル、及び素材映像ファイル（その一部は参照映像ファイルでもある）の間の関連性をも連携して表示させることができる。
【０１１８】
ここで、映像ファイル管理システム１によって提示可能な映像ファイルの関連情報とは、具体的には例えば、映像制作で使用した映像ファイルや、映像ファイルが使用された番組、映像ファイルの編集中に参照した映像ファイル等である。そしてこのような関連情報が提示されることにより、ユーザ（映像制作者）は、番組名や放送日時から、使用されている編集済映像ファイルを探索したり、編集済映像ファイルの編集に用いられた素材映像ファイルを辿ったりする、従来では困難な高度な検索を実行することができる。また、番組から細部に辿るだけでなく、検索した素材映像ファイルから、当該素材映像ファイルが使用された編集済映像ファイルや番組用映像ファイルを辿るといった逆方向の検索も可能である。すなわち、番組制作や映像ファイル編集における作業の流れを認識し易い検索結果の表示が可能となる。
【０１１９】
また、このような高度な検索では、熟練した映像制作者によって制作・編集された映像ファイルの構成内容を詳細に知ることができるだけでなく、映像ファイルの編集中に参照した映像ファイル（参照映像ファイル）についても情報を得ることができる。特に参照映像ファイルに関する情報は、従来の映像ファイル管理では編集時に映像制作者が敢えて記録を残す等の特別な作業をしない限り、後で確認することが困難なものであったが、映像ファイル管理システム１では、映像ファイルの編集中のユーザの操作内容に基づいて参照映像ファイル情報１３０を記録できることから、漏れや誤りなく参照映像ファイルの情報を確認することができ、映像制作に有用な映像ファイルを探索することに大きく貢献することが期待できる。
【０１２０】
以上のように、本実施の形態に係る映像ファイル管理システム１によれば、ユーザの操作内容に基づく特別メタ情報を含む態様で関連付けデータを保持することによって映像ファイル間の関連性まで管理することができるため、映像ファイルの高度な検索を可能にし、映像制作者による映像ファイルの管理を容易にすることができる。そして映像ファイルの高度な検索を可能にすることで、映像ファイル制作者が欲する映像ファイルの検索を容易にしたり、映像ファイルの制作の参考となる映像ファイルを提示したりすることができ、映像制作者の作業負担を軽減することにも貢献できる。
【０１２１】
（９）他の実施の形態
なお、上述の実施の形態による映像ファイル管理システム１では、素材映像ファイル関連情報の表示画面の一例として図６を示したが、本発明はこれに限らず、例えば以下の図１２に示すような表示画面であってもよい。
【０１２２】
図１２は、素材映像ファイル関連情報の別の表示画面例を示す図である。図１２に例示した表示画面２４０は、第１表示領域２４１、第２表示領域２４２、第３表示領域２４３、及び第４表示領域２４４から構成されている。ここで、第１表示領域２４１及び第２表示領域２４２の表示項目は、図６で示した第１表示領域２１１及び第２表示領域２１２の表示項目とそれぞれ同様であるため、説明を省略する。
【０１２３】
図１２において、第３表示領域２４３には、対象の素材映像ファイルを使用して制作された編集済映像ファイルが再生可能な態様で表示される。一方、第４表示領域２４４には、対象の素材映像ファイルが再生可能な態様で表示される。第３表示領域２４３の再生画面と第４表示領域２４４は並べて配置され、各映像ファイルの再生開始地点は、上記編集済映像ファイルの編集済映像ファイル情報１２０において編集済映像開始時間と素材映像開始時間とが同期するように決定される。
【０１２４】
図１２のように、編集済映像ファイルとその編集前の素材映像ファイルとを並べて再生可能に表示することによって、ユーザは、映像ファイルの編集前後の相違について視覚的に容易に認識することができるようになる。具体的には例えば、映像ファイルの編集時に行ったテロップの追加やトリミング範囲等の編集内容を容易に比較することができる。
【０１２５】
また、本発明は上記した実施の形態に限定されるものではなく、様々な変形例が含まれる。例えば、上記した実施例は本発明を分かりやすく説明するために詳細に説明したものであり、必ずしも説明した全ての構成を備えるものに限定されるものではない。
【０１２６】
また、上記した実施の形態における各機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、または、ＩＣカード、ＳＤカード、ＤＶＤ等の記録媒体に置くことができる。
【０１２７】
また、制御線や情報線は説明上必要と考えられるものを示しており、製品上必ずしも全ての制御線や情報線を示しているとは限らない。実施には殆ど全ての構成が相互に接続されていると考えてもよい。
【符号の説明】
【０１２８】
１      映像ファイル管理システム
２      ユーザ端末
２ａ    編集機
２ｂ    素材登録端末
２ｃ    送出端末
３      情報管理サーバ
４      映像管理サーバ
５      送出サーバ
６      情報データベース
７      映像データベース
８      番組用管理設備
９      放送用設備
１０    放送機
１１    情報記憶部
１２    映像記憶部
１３    情報管理部
１４    検索部
１５    登録部
１６    映像ファイル操作部
１７    編集部
１８    再生部
１９    送出部
１１０  番組用映像ファイル情報
１２０  編集済映像ファイル情報
１３０  参照映像ファイル情報
２１０，２２０，２３０，２４０  表示画面
２１１，２２１，２３１，２４１  第１表示領域
２１２，２２２，２３２，２４２  第２表示領域
２１３，２２３，２３３，２４３  第３表示領域
２２４  第４表示領域
２２５  第５表示領域
【図１】
2018028727.tif 000003
【図２】
2018028727.tif 000004
【図３】
2018028727.tif 000005
【図４】
2018028727.tif 000006
【図５】
2018028727.tif 000007
【図６】
2018028727.tif 000008
【図７】
2018028727.tif 000009
【図８】
2018028727.tif 000010
【図９】
2018028727.tif 000011
【図１０】
2018028727.tif 000012
【図１１】
2018028727.tif 000013
【図１２】
2018028727.tif 000014